(57)【要約】【課題】簡単な構造で、上下台の高さを調整して最適な高さに確実に停止する。【解決手段】上下機構は、上下に延びて自立する支柱１に、上下に移動するスライド台５を連結し、このスライド台５にカム軸４を介して上下台２を連結している。支柱１は筒状で、上下に延長して前面にスリット８を設けている。スライド台５は、スリット８の両側で支柱１の内面に接触する内側ストッパ部５ａと、スリット８から支柱１の外側に突出する連結部５ｂとを備え、連結部５ｂの連結穴５ｘに、上下台２に連結されるカム軸４を挿通して、上下台２をスライド台５に傾動できるように連結している。上下台２は、水平姿勢となる状態で支柱１の外面を押圧するカム７を連結部５ｂの両側に固定している。上下機構は、上下台２を水平姿勢とする状態で、カム７が支柱１の外面を押圧して、カム７と内側ストッパ部５ａとで支柱１を挟着してスライド台５を支柱１の定位置に固定する。【選択図】図９
2010046156.tif 000002
【特許請求の範囲】
【請求項１】
上下に延びる姿勢で自立する支柱(1)と、この支柱(1)に上下に移動できるように連結しているスライド台(5)と、このスライド台(5)にカム軸(4)を介して水平姿勢から折畳姿勢に傾動できるように連結している上下台(2)とを備え、
前記支柱(1)は、筒状で上下に延長して前面にスリット(8)を設けており、
前記スライド台(5)は、スリット(8)の両側で支柱(1)の内面に接触する内側ストッパ部(5a)と、この内側ストッパ部(5a)に連結されてスリット(8)から支柱(1)の外側に突出している連結部(5b)とを備え、この連結部(5b)にはカム軸(4)を挿通する連結穴(5x)を設けており、前記上下台(2)に連結されるカム軸(4)が連結穴(5x)に挿通されて、上下台(2)をスライド台(5)に傾動できるように連結しており、
前記上下台(2)は、前記連結部(5b)の両側に位置して、上下台(2)が水平姿勢となる状態で支柱(1)の外面を押圧するカム(7)を固定しており、上下台(2)が水平姿勢に回動される状態で、カム(7)が支柱(1)の外面を押圧して、カム(7)と内側ストッパ部(5a)とで支柱(1)を挟着して、スライド台(5)を支柱(1)の定位置に固定するようにしてなる上下台を上下に移動できる上下機構。
【請求項２】
前記スライド台(5)に、カム軸(4)を介して、支柱(1)の外面を押圧する押圧プレート(6)を連結しており、この押圧プレート(6)はカム軸(4)に対して回動自在に連結しており、前記上下台(2)を水平姿勢とする状態で、カム(7)が押圧プレート(6)を介して支柱(1)の外面を押圧する請求項１に記載される上下台を上下に移動できる上下機構。
【請求項３】
前記上下台(2)が、支柱(1)と平行な折畳姿勢に折り畳まれる状態で支柱(1)の外面を押圧するカム(7)を備えており、上下台(2)が折畳姿勢に回動される状態で、カム(7)が支柱(1)の外面を押圧して、カム(7)と内側ストッパ部(5a)とで支柱(1)を挟着して、スライド台(5)を支柱(1)の定位置に固定するようにしてなる請求項１に記載される上下台を上下に移動できる上下機構。
【請求項４】
上下機構が、前記上下台(2)に座部(20)を備えるイスである請求項１ないし３のいずれかに記載される上下台を上下に移動できる上下機構。
【請求項５】
前記上下台(2)が前記座部(20)の下面に連結アーム(9)を固定しており、この連結アーム(9)は、上下台(2)の後方に突出する部分を上方に折曲する立ち上がり部(9A)としており、この立ち上がり部(9A)の上端にカム(7)を固定している請求項４に記載される上下台を上下に移動できる上下機構。
【請求項６】
前記連結アーム(9)が、支柱(1)との対向面にクッション材(15)を固定している請求項５に記載される上下台を上下に移動できる上下機構。
【発明の詳細な説明】
【技術分野】
【０００１】
本発明は、上下台を上下に移動して、所定の高さに停止できる上下機構に関する。
【背景技術】
【０００２】
座台を上下に移動できるイスは、種々の用途に最適な状態で使用できる。このことを実現するイスは、種々の構造で座台を上下に移動して移動した位置に停止できる構造としている。座台を自在に上下に移動できるイスは開発されている（特許文献１及び２参照）。これらの公報に記載されるイスは、ストッパ機構を介して、座台を支柱に連結している。これらのイスは、ストッパ機構で座台を所定の位置に停止させ、また、ストッパ機構を解除して、座台を上下に移動できるようにしている。
【０００３】
これらのイスは、取っ手を操作してストッパ機構のロック状態を解除し、座台を上下に移動できる。ただ、このイスは、座台を所定の位置に停止するためのストッパ機構が複雑で、製造コストが高くなる。また、複雑なストッパ機構を備えるので、全体をすっきりと美しいデザインにすることができない。さらに、ロック状態を解除するために取っ手を操作する必要があるので、簡単に上下に移動できない欠点もある。とくに、片手で座台を上下に移動するのが難しい。
【０００４】
本発明者は、以上の欠点を解決することを目的として、図１ないし図３に示すイスを開発した（特許文献３参照）。これ等の図に示すイスは、後方に向かって上り勾配に傾斜する姿勢で自立する支柱９１と、この支柱９１に連結具９４を介して上下に移動できるように連結している座台９２とを備える。支柱９１は、筒状で上下に延長して前面にスリット９８を設けている。連結具９４は、座台９２を連結しているスライド台９５と、このスライド台９５に連結されて、支柱９１のスリット９８を貫通して、スリット９８の両側で支柱９１の内面に当接する内側ストッパ９６と、スライド台９５に連結されて、支柱９１の前面でスリット９８の両側に当接する外側ストッパ９７とを備える。外側ストッパ９７は、内側ストッパ９６よりも下方に位置してスライド台９５に連結している。内側ストッパ９６と外側ストッパ９７の間隔（ｄ）は、スライド台９５を支柱９１に沿って上下に移動できるように支柱９１の肉厚（ｔ）よりも大きくしている。このイスは、座台９２に荷重がかかると、内側ストッパ９６が支柱９１の内面に押圧されて、外側ストッパ９７が支柱９１の前面に押圧されて、座台９２を降下しないように所定の高さで停止できるようにしている。
【特許文献１】実公昭５９−２７１７０号公報
【特許文献２】実公昭５９−２７１７１号公報
【特許文献３】特開２００２−２８２０８４号公報
【発明の開示】
【発明が解決しようとする課題】
【０００５】
図１ないし図３に示すイスは、座台を上下に移動して最適な高さに固定して便利に使用できる。ただ、この構造のイスは、座台に作用する荷重でストッパ機構を働かせることから、座台に荷重が作用しない状態で、座台が滑り落ちやすい弊害があった。
【０００６】
本発明は、この欠点を解決することを目的に開発されたものである。本発明の重要な目的は、極めて簡単な構造としながら、簡単かつ容易に、しかも迅速に座台等の上下台の高さを調整して最適な高さに確実に停止できる上下台を上下に移動できる上下機構を提供することにある。
【課題を解決するための手段及び発明の効果】
【０００７】
本発明の上下台を上下に移動できる上下機構は、前述の目的を達成するために以下の構成を備える。
上下台を上下に移動できる上下機構は、上下に延びる姿勢で自立する支柱１と、この支柱１に、上下に移動できるように連結しているスライド台５と、このスライド台５にカム軸４を介して水平姿勢から折畳姿勢に傾動できるように連結している上下台２とを備える。支柱１は、筒状で上下に延長して前面にスリット８を設けている。スライド台５は、スリット８の両側で支柱１の内面に接触する内側ストッパ部５ａと、この内側ストッパ部５ａに連結されてスリット８から支柱１の外側に突出している連結部５ｂとを備えている。このスライド台５は、連結部５ｂに、カム軸４を挿通する連結穴５ｘを設けており、上下台２に連結されるカム軸４を連結穴５ｘに挿通して、上下台２をスライド台５に傾動できるように連結している。上下台２は、連結部５ｂの両側に位置して、上下台２が水平姿勢となる状態で支柱１の外面を押圧するカム７を固定している。この上下機構は、上下台２を水平姿勢に回動する状態で、カム７が支柱１の外面を押圧して、カム７と内側ストッパ部５ａとで支柱１を挟着して、スライド台５を支柱１の定位置に固定する。
【０００８】
以上の上下機構は、支柱のスリットに沿ってスライド台を上下に移動させて、上下台の高さを自由に変更しながら、上下台を水平姿勢に回動する状態では、カムで支柱の外面を押圧して、カムと内側ストッパ部とで支柱を挟着してスライド台を固定するので、極めて簡単な構造としながら、簡単かつ容易に、しかも迅速に上下台の高さを調整して最適な高さに確実に停止できる特長がある。とくに、本発明の上下機構は、上下台を水平姿勢に回動する状態で、カムで支柱の外面を押圧して、スライド台を支柱の定位置に固定するので、上下台に荷重が作用しない状態においても、上下台が滑り落ちることがなく、安心して、安全に使用できる特長がある。
【０００９】
本発明の請求項２の上下機構は、スライド台５に、カム軸４を介して、支柱１の外面を押圧する押圧プレート６を、カム軸４に対して回動自在に連結しており、上下台２を水平姿勢とする状態で、カム７が押圧プレート６を介して支柱１の外面を押圧する。
この構造の上下機構は、カムが直接に支柱の外面を押圧しないので、回転するカムで支柱の外面を傷付けることなくスライド台を固定できる。さらに、カムの押圧力を押圧プレートを介して支柱の外面に作用させるので、押圧プレートの広い面積で支柱の外面を押圧して、上下台を所定の高さに安定して固定できる。
【００１０】
本発明の請求項３の上下機構は、上下台２が、支柱１と平行な折畳姿勢に折り畳まれる状態で支柱１の外面を押圧するカム７を備えている。この上下機構は、上下台２を折畳姿勢に回動する状態で、カム７が支柱１の外面を押圧して、カム７と内側ストッパ部５ａとで支柱１を挟着して、スライド台５を支柱１の定位置に固定する。
この構造の上下機構は、上下台を折り畳んで支柱と平行な折畳姿勢とする状態において、スライド台を移動しないように支柱に固定して、上下台を折り畳んだ位置に固定できる。
【００１１】
本発明の請求項４の上下機構は、上下台２に座部２０を設けてイスとしている。
この上下機構は、座部を備える上下台の高さを、簡単かつ容易に調整して、最適な高さに確実に停止でき、座部を上下に移動できるイスとして便利に使用できる特徴がある。
【００１２】
本発明の請求項５の上下機構は、上下台２が座部２０の下面に連結アーム９を固定しており、この連結アーム９は、上下台２の後方に突出する部分を上方に折曲する立ち上がり部９Ａとして、この立ち上がり部９Ａの上端にカム７を固定している。
この構造の上下機構は、上下台を水平姿勢とする状態で、立ち上がり部を支柱に沿って配置して、立ち上がり部の下端部を支柱で支持できるので、上下台の座部を安定して水平姿勢に保持できる。
【００１３】
さらに、本発明の請求項６の上下機構は、連結アーム９が支柱１との対向面にクッション材１５を固定している。
この構造の上下機構は、上下台を水平姿勢とする状態で、クッション材を立ち上がり部と支柱との間に挟着させることで、このクッション材を弾性変形させてクッション性を実現できる。
【発明を実施するための最良の形態】
【００１４】
以下、本発明の実施例を図面に基づいて説明する。ただし、以下に示す実施例は、本発明の技術思想を具体化するための上下台を上下に移動できる上下機構を例示するものであって、本発明は上下機構を以下の構造には特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
本発明の上下機構は、上下に延びる支柱に沿って、上下台を上下に移動できると共に、この上下台を任意の位置で停止して停止位置に確実に保持できる構造としている。この上下機構として、例えば、上下台に座部を設けて、この座部を上下に移動できるイスとすることができる。
以下、座部を有する上下台を上下に移動できるイスとして使用する上下機構の実施例を詳述する。
【００１７】
図４ないし図１０に示す上下機構は、上下に延びる姿勢で自立する支柱１と、この支柱１に上下に移動できるように連結しているスライド台５と、このスライド台５にカム軸４を介して水平姿勢から折畳姿勢に傾動できるように連結している上下台２とを備える。
【００１８】
支柱１は、後方に支持ロッド３を連結して、この支持ロッド３で支えて、上下に延びる姿勢としている。図の支柱１は、後方を支持ロッド３で支持して、後方に向かって上り勾配に傾斜する姿勢で自立するようにしている。支持ロッド３は、支柱１と平行な方向に折り畳みできるように、支柱１に固定した保持金具１７に、ピン１８を介して回動できように連結している。支柱１の下端には、左右に広がる湾曲ロッド１１を固定している。湾曲ロッド１１は、略半円形状に湾曲された金属パイプで、両端が下方に、中間が上方に位置する姿勢として、中間を支柱１の下端に連結して、両端を支柱１の左右に突出させて、全体の形状を逆Ｙ字状としている。さらに、支持ロッド３の下端には、左右に突出して水平ロッド１２を固定している。この湾曲ロッド１１と水平ロッド１２は、支柱１が横に転倒するのを防止する。支柱１は、支持ロッド３と湾曲ロッド１１と水平ロッド１２とで前後左右に転倒しないように自立される。さらに、図に示す上下機構は、湾曲ロッド１１の両端である下端と水平ロッド１２の両端に、ゴム製のキャップ１３を設けている。この上下機構は、支持ロッド３を開いて支柱１を自立させる姿勢において、四隅に設けたキャップ１３により、床面を傷つけないように保護しながら、湾曲ロッド１１と水平ロッド１２が床面に対して滑るのを防止している。さらに、図の支柱１は、上端に取手１０を設けている。図に示す取手１０は、円形の環状のループで、ここをもって上下機構を持ち運びできる。
【００１９】
支柱１は、１本の金属製の角筒、すなわち、角パイプである。この支柱１は、前面にスリット８を設けている。スリット８は、上下台２を上下に移動させるもので、上下方向に延長して前面の中央部に設けている。角筒である支柱１は、上下台２の水平面における回動を阻止して、しっかりと支柱１に連結できる特長がある。ただ、支柱は、円筒または楕円筒とすることもできる。円筒または楕円筒の支柱も、上下台を実用レベルにおいて、水平面内の回転を阻止する構造とすることができる。
【００２０】
スライド台５は、図７の拡大断面図と図８の分解斜視図に示すように、スリット８の両側で支柱１の内面に接触する内側ストッパ部５ａと、この内側ストッパ部５ａに連結されてスリット８から支柱１の外側に突出している連結部５ｂとを備える。図のスライド台５は、２枚のＬ金具５Ａを背中合わせに連結して、内側ストッパ部５ａと連結部５ｂとを設けている。２枚のＬ金具５Ａは、支柱１のスリット８を貫通して、支柱１の内部で内側ストッパ部５ａとなり、支柱１の外側に突出する部分を連結部５ｂとしている。この構造のスライド台５は、スリット８を支柱１の上端まで延長することなく、スリット８から支柱１の内部に配置できる。２枚のＬ金具５Ａを別々にスリット８から支柱１の内部に入れた後、連結部５ｂを固定してスライド台５となるからである。スリット８を上端まで延長しない支柱１は、上端で筒状に連結されて強靭な構造にできる。
【００２１】
スライド台５の連結部５ｂは、上下台２に連結しているカム軸４を挿通して連結する連結穴５ｘを設けている。連結穴５ｘの内径は、カム軸４の外径よりも大きくしている。連結穴５ｘは、カム軸４を回転できるように挿通して、カム軸４を介して上下台２を傾動できるように連結している。
【００２２】
さらに、図７と図８の上下機構は、スライド台５に、支柱１の外面を押圧する押圧プレート６を、カム軸４を介して連結している。この押圧プレート６は、カム軸４に対して回動できるように連結している。この押圧プレート６も、スライド台５と同じように２枚のＬ金具を背中合わせに連結して、支柱１の外面を押圧する押圧部６ａと連結プレート部６ｂとを設けている。Ｌ金具からなる押圧プレート６は、連結プレート部６ｂをスライド台５の連結部５ｂの外側に積層して、カム軸４でもってスライド台５の連結部５ｂに連結している。連結プレート部６ｂは、カム軸４を挿通する貫通孔６ｘを設けており、この貫通孔６ｘにカム軸４を挿通して、スライド台５に連結している。貫通孔６ｘの内径はカム軸４の外径よりも大きくしている。この押圧プレート６は、押圧部６ａを支柱１の外面に接近し、また離れる方向に移動できる。詳細には、図９に示すように、押圧プレート６がカム軸４を中心として回動することにより、押圧部６ａが部分的に支柱１の外面に接近して接触し、また、支柱１の外面と接触しない位置に移動する。このため、上下台２を停止する状態では、押圧部６ａを支柱１の外面に密着し、上下台２を上下に移動させる状態では押圧部６ａを支柱１の外面から離れるように移動できる。ただ、押圧プレート６は、図８の鎖線で示すように、カム軸４を挿通する貫通孔６ｘを、支柱１に接近し、また離れる方向に長い長孔として、カム軸４に沿って長孔を移動させて、押圧プレート６の押圧部６ａを支柱１の外面に接近し、また離れる方向に移動させることもできる。
【００２３】
押圧プレート６を設けている上下機構は、上下台２を水平姿勢とする状態で、図６の一部拡大図に示すように、カム７が押圧プレート６を介して支柱１の外面を押圧して、上下台２を所定の高さに固定できる。すなわち、カム７が押圧プレート６を支柱１の外面に押圧して、上下台２を所定の高さに固定する。この構造の上下機構は、カム７が直接に支柱１の外面を押圧しないので、回転するカム７が支柱１の外面に傷を付けることがなく、カム７の押圧力が押圧プレート６で広い面積で支柱１の外面を押圧して、上下台２を所定の高さに固定できる。ただ、本発明の上下機構は、図１０に示すように、カム７が直接に支柱１の外面を押圧して、上下台２を所定の高さに固定することもできる。
【００２４】
上下台２は、水平姿勢とする状態における上面に、座部２０を備えている。この座部２０は、イスとして使用する時に腰を下ろす部分で、たとえば、クッション材の表面をシート材で被覆して座り心地を良くしている。ただ、座部は、必ずしもクッション性を有する必要はなく、木製の板材等も使用できる。さらに、上下台２は、座部２０の下面に連結アーム９を固定している。この連結アーム９は、上下台２の後方に突出する部分を上方に折曲する立ち上がり部９Ａとしている。この立ち上がり部９Ａの上端に、カム軸４を連結している。連結アーム９は、金属板を溝型に折曲加工したもので、両側の側壁を上方に延長して、一対の立ち上がり部９Ａを設けている。一対の立ち上がり部９Ａを貫通してカム軸４を配設して、カム軸４の両端を連結アーム９の立ち上がり部９Ａに連結している。すなわち、一対の立ち上がり部９Ａの対向する位置に貫通孔９ｘを設けて、この貫通孔９ｘにカム軸４を挿通して連結している。貫通孔９ｘの内径はカム軸４の外径よりも大きくしている。このカム軸４は、両端に軸方向に雌ネジ孔４Ａを設けており、この雌ネジ孔４Ａに止ネジ１４をねじ込んで、カム軸４が立ち上がり部９Ａから抜けないように連結している。
【００２５】
さらに、上下台２は、スライド台５の連結部５ｂの両側に位置して、支柱１の外面を押圧する一対のカム７を配設している。図の上下台２は、カム軸４が挿通される一対の立ち上がり部９Ａの内面であって、互いに対向する位置に、一対のカム７を固定している。一対のカム７は、カム軸４を挿通する挿通孔７ｘを設けており、この挿通孔７ｘにカム軸４を挿通して、一対のカム７をスライド台５の両側に連結している。挿通孔７ｘの内径はカム軸４の外径よりも大きくしている。挿通孔７ｘは、カム軸４を回転できるように挿通しており、上下台２を傾動させる状態で、連結アーム９に固定したカム７を、カム軸４を中心として回動できるようにしている。一対のカム７は、上下台２を傾動させる状態で支柱１の外面を押圧する突出部７Ａを外周面から突出して設けている。
【００２６】
カム軸４は、スライド台５の連結部５ｂに設けた連結穴５ｘと、押圧プレート６の連結プレート部６ｂに設けた貫通孔６ｘと、カム７に設けた挿通孔７ｘと、立ち上がり部９Ａに設けた貫通孔９ｘに挿通して、スライド台５と押圧プレート６をカム７と立ち上がり部９Ａに連結している。このカム軸４は、その中央部にスライド台５の連結部５ｂを連結し、さらに、その両側に積層している押圧プレート６の連結プレート部６ｂを連結し、さらにまた、その両側において、カム７と立ち上がり部９Ａを連結している。したがって、カム軸４は、上下台２を傾動できるようにスライド台５に連結している。連結アーム９に固定しているカム７は、上下台２を水平姿勢とする状態で突出部７Ａで支柱１の外面を押圧して、カム７と内側ストッパ部５ａとで支柱１を両面から挟着して、スライド台５を支柱１の定位置に固定する。図７ないし図９の上下機構は、カム７が押圧プレート６を介して支柱１の外面を押圧するので、カム７で押圧される押圧プレート６と内側ストッパ部５ａとで支柱１を両面から挟着して、スライド台５を支柱１の定位置に固定する。
【００２７】
さらに、図１１のカム７は、上下台２を折畳姿勢とする状態、すなわち支柱１と平行な姿勢に折り畳む状態で、押圧プレート６を押圧して、この位置に固定する。したがって、図のカム７は、上下台２を水平な姿勢とする状態で、押圧プレート６を支柱１の外面に押圧する突出部７ａと、上下台２を折畳姿勢に折り畳む状態で、押圧プレート６を支柱１の外面に押圧する突出部７ｂのふたつの突出部７Ａを設けている。この上下機構は、上下台２を水平姿勢とする状態では、図６と図９に示すように、カム７の突出部７ａが押圧プレート６を介して支柱１の外面を押圧して、スライド台５を支柱１の定位置に固定する。また、この上下機構は、上下台２を折畳姿勢とする状態では、図１１に示すように、カム７の突出部７ｂが押圧プレート６を介して支柱１の外面を押圧して、スライド台５を支柱１の定位置に固定する。図の上下機構は、スライド台５の両側に同じ形状のカム７を設けている。したがって、上下台２が折畳姿勢と水平姿勢にあるとき、両方のカム７の突出部７Ａがスリット８の両側に設けている押圧プレート６の押圧部６ａを支柱１の外面に押圧して、上下台２を所定の位置に固定する。
【００２８】
以上のカム７は、上下台２を水平姿勢と折畳姿勢とする状態で、押圧プレート６を支柱１の外面に押圧するが、上下台２を水平姿勢から折畳姿勢に、また、折畳姿勢から水平姿勢に傾動させる途中にあっては、図１２に示すように、突出部７Ａで押圧プレート６を支柱１の外面に押圧しない。したがって、上下台２を水平姿勢と折畳姿勢の中間とする状態では、押圧プレート６と内側ストッパ部５ａとで支柱１を両面から挟着することなく、支柱１との間に隙間を設けて、スライド台５を支柱１のスリット８に沿ってスムーズに上下に移動できる。
【００２９】
さらに、図６と図８に示す上下機構は、連結アーム９の立ち上がり部９Ａの表面であって、支柱１との対向面にクッション材１５を固定している。この上下機構は、上下台２を水平姿勢とする状態で、クッション材１５が立ち上がり部９Ａと支柱１との間に挟着される。挟着されるクッション材１５は、弾性変形して、クッション性を実現する。
【００３０】
以上の実施例の上下機構は、上下台に座部を設けて、この座部を上下に移動できるイスとしている。ただ、本発明の上下機構は、その用途をイスに特定しない。本発明の上下機構は、図示しないが、上下台に照明具を設けて、この照明具を上下に移動できる電気スタンドとすることができる。電気スタンドである上下機構は、照明具を備える上下台の上下位置を調整して、照明具の高さを自由に変更しながら便利に使用できる。さらに、本発明の上下機構は、図示しないが、上下台に棚部を設けて、この棚部を上下に移動できる陳列棚とすることもできる。陳列棚である上下機構は、棚部を備える上下台の上下位置を調整して、陳列物を配置する高さを自由に変更できる。さらに、陳列棚である上下機構は、棚部を備える上下台を複数配設することもできる。この陳列棚は、複数の上下台の上下位置を種々に変更して、複数の陳列物を最適な高さに調整しながら陳列できる。
【００３１】
以上のように、本発明の上下機構は、目的に応じた機能、すなわち座部や照明具や棚部等の機能部を上下台に設けると共に、この上下台を、上下に延びる支柱に沿って上下に移動させて任意の位置で停止させることで、上下台に設けた機能部の高さを自由に調整して極めて便利に使用できる。したがって、本発明の上下機構は、その用途に応じて、種々の機能を上下台に設けて、この上下台の上下位置を自由に変更して、極めて便利に使用できる。
【図面の簡単な説明】
【００３２】
【図１】本発明者が先に開発したイスの斜視図である。
【図２】図１に示すイスの連結具を示す水平断面図である。
【図３】図１に示すイスの連結具を示す垂直断面図である。
【図４】本発明の一実施例にかかる上下機構の斜視図である。
【図５】図４に示す上下機構の背面斜視図である。
【図６】図４に示す上下機構の一部拡大側面図である。
【図７】支柱とスライド台と連結アームの連結構造を示す拡大断面図である。
【図８】支柱とスライド台と連結アームの連結構造を示す分解斜視図である。
【図９】上下台を水平姿勢とする状態でカムが支柱の外面を押圧する状態を示す拡大断面図である。
【図１０】本発明の他の実施例にかかる上下機構のカムが支柱の外面を押圧する状態を示す拡大断面図である。
【図１１】図６に示す上下機構の上下台を折畳姿勢とする状態を示す一部拡大側面図である
【図１２】上下台を水平姿勢と折畳姿勢の中間とする状態のカムを示す拡大断面図である。
【符号の説明】
【００３３】
１…支柱
２…上下台
３…支持ロッド
４…カム軸                  ４Ａ…雌ネジ孔
５…スライド台              ５Ａ…Ｌ金具
５ａ…内側ストッパ部
５ｂ…連結部
５ｘ…連結穴
６…押圧プレート            ６ａ…押圧部
６ｂ…連結プレート部
６ｘ…貫通孔
７…カム                    ７Ａ…突出部
７ａ…突出部
７ｂ…突出部
７ｘ…挿通孔
８…スリット
９…連結アーム              ９Ａ…立ち上がり部
９ｘ…貫通孔
１０…取手
１１…湾曲ロッド
１２…水平ロッド
１３…キャップ
１４…止ネジ
１５…クッション材
１７…保持金具
１８…ピン
２０…座部
９１…支柱
９２…座台
９４…連結具
９５…スライド台
９６…内側ストッパ
９７…外側ストッパ
９８…スリット
【図１】
2010046156.tif 000003
【図２】
2010046156.tif 000004
【図３】
2010046156.tif 000005
【図４】
2010046156.tif 000006
【図５】
2010046156.tif 000007
【図６】
2010046156.tif 000008
【図７】
2010046156.tif 000009
【図８】
2010046156.tif 000010
【図９】
2010046156.tif 000011
【図１０】
2010046156.tif 000012
【図１１】
2010046156.tif 000013
【図１２】
2010046156.tif 000014